(57)【要約】【課題】本発明は、個別の眼鏡着用者のデータを考慮に入れながら、単強度眼鏡レンズを製造する方法に関する。  【解決手段】前記単強度眼鏡レンズは回転対称の基底面及び回転対称の非球面又は非円環状の処方面を持ち、前記方法は下記の工程からなる：  −個別の眼鏡着用者のデータの取得する、  −眼鏡レンズブランク群から、所定の基底面を伴う眼鏡レンズブランクを選択する、及び  −眼鏡着用者の処方箋に対する処方面による光屈折効果の適合に加えて、個別の眼鏡着用者のデータの少なくとも一部を考慮に入れて、処方面を計算し最適化する。  本発明は、単強度眼鏡レンズの対応する製造システム、及び個別の単強度眼鏡レンズも関する。【選択図】      なし
2007503010.tif 000002
【特許請求の範囲】
【請求項１】
−個別の眼鏡着用者のデータを取得する工程、
−眼鏡レンズブランク群から所定の基底面を伴う眼鏡レンズブランクを選択する工程、及び
−処方面による、光屈折効果の、眼鏡着用者の処方箋に対する適合に加えて、個別の眼鏡着用者のデータの少なくとも一部を考慮に入れて、処方面を計算し最適化する工程、
とからなることを特徴とする個別の眼鏡着用者のデータを考慮に入れて、回転対称の基底面及び回転対称の非球面又は非円環状の処方面を持つ単強度眼鏡レンズを製造する方法。
【請求項２】
前記基底面が前記単強度眼鏡レンズの前面であり、前記処方面が前記単強度眼鏡レンズの後面であることを特徴とする請求項１記載の方法。
【請求項３】
前記個別の眼鏡着用者のデータを、眼鏡レンズブランクを選択する工程の間に考慮に入れることを特徴とする請求項１又は２記載の方法。
【請求項４】
前記個別の眼鏡着用者のデータが、前記単強度レンズの使用に関する眼鏡着用者の用途分野、特にスポーツ眼鏡の用途分野を含むことを特徴とする請求項１から３のいずれか１項記載の方法。
【請求項５】
前記スポーツ眼鏡の用途分野に関して、前記単強度眼鏡レンズの横方向傾斜が１０度を超え、及び前記前面の基底曲線が６ｄｐｔｓを超えることを特徴とする請求項４記載の方法。
【請求項６】
前記個別の眼鏡着用者のデータが瞳孔間の距離、前方への傾斜、横方向傾斜、枠円板角、枠の耳への適合、及び／又は眼鏡着用者の習慣的な頭の姿勢を含むことを特徴とする請求項１から５のいずれか１項記載の方法。
【請求項７】
前記個別の眼鏡着用者のデータが芯だし要求、特に眼球の回転点要求、基準点要求、又は視野要求を含むことを特徴とする請求項１から６のいずれか１項記載の方法。
【請求項８】
前記個別の眼鏡着用者のデータが眼鏡着用者の眼の眼球回転点距離及び／又は全体的長さを含むことを特徴とする請求項１から７のいずれか１項記載の方法。
【請求項９】
前記個別の眼鏡着用者のデータが角膜頂点距離を含むことを特徴とする請求項１から８のいずれか１項記載の方法。
【請求項１０】
前記個別の眼鏡着用者のデータが、前記単強度眼鏡レンズにより見ようとする物体の典型的な対物距離を含み、前記対物距離が特に前記単強度眼鏡レンズを介する視点の関数であって良いことを特徴とする請求項１から９のいずれか１項記載の方法。
【請求項１１】
前記個別の眼鏡着用者のデータが枠の形状を含むことを特徴とする請求項１から１０のいずれか１項記載の方法。
【請求項１２】
前記個別の眼鏡着用者のデータが非正視の型を含み、かつ、処方面の計算及び最適化の工程の間に、前記非正視の型に従って鮮鋭度が設計されることを特徴とする請求項１から１１のいずれか１項記載の方法。
【請求項１３】
前記個別の眼鏡着用者のデータが両眼の特性、特に微小異常の網膜の応答視又は交替視を含むことを特徴とする請求項１から１２のいずれか１項記載の方法。
【請求項１４】
前記個別の眼鏡着用者のデータが処方のプリズム成分を含むことを特徴とする請求項１から１３のいずれか１項記載の方法。
【請求項１５】
前記個別の眼鏡着用者のデータが眼鏡着用者の生理学的要求、特に初期視力、眼球及び頭の動きに関するその者の視覚習慣及びモデルを含むことを特徴とする請求項１から１４のいずれか１項記載の方法。
【請求項１６】
前記個別の眼鏡着用者のデータが眼鏡着用者の視覚の鋭敏さを含むことを特徴とする請求項１から１５のいずれか１項記載の方法。
【請求項１７】
前記基底面の数がおよそ５から２５であることを特徴とする請求項１から１６のいずれか１項記載の方法。
【請求項１８】
−個別の眼鏡着用者のデータを取得する為の取得装置、
−眼鏡レンズブランクの群から所定の基底面を伴う眼鏡レンズブランクを選択するための選択装置、及び
−処方面による、光屈折効果の、眼鏡着用者の処方箋への適合に加えて、個別の眼鏡着用者のデータの少なくとも一部を考慮に入れながら、処方面を計算し最適化するための計算及び最適化装置、
からなることを特徴とする個別の眼鏡着用者のデータを考慮にいれながら、回転対称の基底面及び回転対称の非球面又は非円環状の処方面を持つ単強度眼鏡レンズを製造するシステム。
【請求項１９】
回転対称の基底面及び回転対称の非球面又は非円環状の処方面を持ち、前記処方面は個別の眼鏡着用者のデータの少なくとも一部を考慮に入れながら構成されることを特徴とするある眼鏡着用者用の個別の単強度眼鏡レンズ。
【請求項２０】
前記単強度眼鏡レンズが１０度を超える横方向傾斜及び６ｄｐｔｓを超える基底曲線を伴うスポーツ眼鏡レンズであることを特徴とする請求項１９に記載の個別の単強度眼鏡レンズ。
【発明の詳細な説明】
【技術分野】
【０００１】
本発明は、単強度眼鏡レンズの製造方法、個別の単強度眼鏡レンズと同様に、単強度眼鏡レンズも製造するシステムに関するものである。
【背景技術】
【０００２】
累進眼鏡レンズと対照的に、垂直断面に沿う光屈折効果が名目上変化しない単強度眼鏡レンズは、従来技術において周知である（特に、ローデンストック・ゲーエムベーハー（Rodenstock GmbH）、ミュンへン、ドイツ連邦共和国）の特許文献１、特許文献２、特許文献３及び特許文献４を参照）。このような、非球面の、または非円環状の表面を伴う最新の単強度レンズは、審美的な特性が有利でありながら、優れた光学画像特性を持つ。
【０００３】
従来技術において、遠部と近部で屈折力が異なり、それらの間に所謂経過域が配されて、そこで、その眼鏡レンズの効果は、遠部の効果から近部の効果に連続的に増加する所謂累進レンズも既知である。この型の累進眼鏡レンズに関して、例えばセイコーエプソン（東京、日本）の特許文献５、又はローデンストック・ゲーエムベーハー（ミュンヘン、ドイツ連邦共和国）の特許文献６に、プログレッシブレンズの設計及び作成のときに、ある眼鏡着用者の個別のデータを考慮に入れることが示唆されていた。
【０００４】
しかしながら、プログレッシブ眼鏡レンズを製造するときに、このように個別の眼鏡着用者、又は顧客のデータを考慮に入れることは、経済的に受け入れられる作成コストで、妥当な納期内にこのような個別のプログレッシブレンズを作成するために、技術的に高度の設計及び作成プロセスが要求される。このようなプログレッシブレンズの出発点として、例えば非プログレッシブの前面だけが仕上げられた、眼鏡レンズブランク(「ブランク」または半仕上がり品とも呼ばれる)が用いられる。しかしながら、プログレッシブ効果を提供する眼球側の後面は、プログレッシブ面によって非点収差効果も付与する場合には、多数のプログレッシブ面が必要なため、標準製品として「備蓄する」ことができない。代わりに、このようなプログレッシブレンズは、注文に合わせて個別に製造しなければならない。斯くして、老眼を矯正するためのおよそ９から１２の追加、及び球状の視覚不良をざっとカバーするための３から６の基底曲線、及び９０の軸位置の場合の２０の円柱値の場合、既に１００，０００を超える異なるプログレッシブ面が要求される。
【０００５】
それ故、近時のプログレッシブ眼鏡レンズの場合、プログレッシブ面の個別の作成が屡々必要である。いずれにせよ、ある眼鏡着用者に対してプログレッシブ面を個別に作成しなければならないので、冒頭に挙げた文献において、個別のプログレッシブ面を計算し最適化するときに、個別の眼鏡着用者のデータ（顧客のデータ）も考慮に入れることが示唆された。
【０００６】
しかしながら、記載されたプログレッシブレンズと比べて、単強度レンズの場合、眼鏡着用者の処方箋を、対応して満足にカバーするために示されなければならない面設計は、相当少なくなる。従って、単強度眼鏡レンズを計算及び最適化するときに個別の眼鏡着用者のデータ（顧客のデータ）を考慮に入れることは、このような手法は恐らくは僅かな光学的改良をもたらすだけで、しかし眼鏡レンズのコストを相当増大させ、斯くして、恐らくは経済的に許容できない価格／性能比に導くであろうから、従来技術において必要とは考えられず、不利であるとさえ見なされていた。
【特許文献１】独国特許出願公開第１９００１７２６号公報
【特許文献２】独国特許出願公開第１９０２０２４４号公報
【特許文献３】独国特許出願公開第１９０２１０４７号公報
【特許文献４】欧州特許出願第９６９４５６９７号明細書
【特許文献５】欧州特許出願公開第０８８００４６Ａ１号公報
【特許文献６】国際公開第０１／５７５８４号パンフレット
【発明の開示】
【発明が解決しようとする課題】
【０００７】
本発明の目的は、従来の単強度眼鏡レンズと比較して、光学特性が改良され、かつ着用の快適性がより良い単強度眼鏡レンズを製造する方法を示すことである。対応する眼鏡レンズと共に、対応する眼鏡レンズを製造するシステムを示すことも、本発明の目的である。
【課題を解決するための手段】
【０００８】
これらの目的は、請求項１に示した特徴を持つ方法、請求項１８に示した特徴を持つシステム、及び請求項１９に示した特徴を持つ単強度眼鏡レンズにより達成される。好ましい実施態様は従属請求項の目的である。
【０００９】
本発明に従い、個別の眼鏡着用者のデータを考慮に入れた、回転対称の基底面、及び回転対称の非球面又は非円環状の処方面を持つ単強度眼鏡レンズを製造する方法は、以下の工程を含む：
−個別の眼鏡着用者のデータを取得する、
−眼鏡レンズブランク（即ち、所定の基底面及び頂点面における所定の屈折値Ｄ１を伴うブランク）を選択する、及び
−処方面による、光屈折効果の、眼鏡着用者の処方箋に対する適合に加えて、個別の眼鏡着用者のデータの少なくとも一部を考慮に入れて、処方面を計算し最適化する。
【００１０】
本発明は、驚くべきことに、単強度眼鏡レンズの場合でも、処方面を計算し最適化するときに個別の眼鏡着用者のデータを考慮に入れることにより、そのような個別の単強度眼鏡レンズの、特に光学特性及び着用の快適性について顕著な改良が達成され、この改良は、従来の単強度レンズと比較して、製造コストの増大を正当化する、という認識に基づく。それ故、本発明は、個別の眼鏡着用者のデータを考慮に入れることは、示されるべき異なる面の種類が多く、いずれにせよ、プログレッシブ面の個別の製造が屡々求められるプログレッシブ眼鏡レンズの場合にのみ意味があるという、従来技術に強固にこびりついている先入観を打破するものである。
【００１１】
かくして、本発明の方法によれば、ある事前に知った眼鏡着用者に個別に適合された単強度眼鏡レンズが製造される。この場合、知った眼鏡着用者の、処方面を計算し最適化する前に取得した個別の眼鏡着用者のデータ（顧客のデータ）を、考慮に入れる。以下において詳細に示す通り、このような眼鏡着用者のデータは、眼に特有の眼鏡着用者のデータ、又は用途（例えば、その単強度眼鏡レンズの使用分野、枠の形状等）に特有の眼鏡着用者のデータであって良い。
【００１２】
本発明の方法によれば、（個別の）単強度眼鏡レンズの製造は、２段の工程で行われる。特定の眼鏡着用者の、個別の眼鏡着用者のデータを取得した後、先ず、予め加工された眼鏡レンズブランク、即ち、頂点面において所定の屈折値を伴う予め加工された基底面を持つ半仕上げされた眼鏡レンズ製品の群から、所定の基底面を伴う眼鏡レンズブランクを選択する。取得した個別の眼鏡着用者のデータの少なくとも一部を考慮に入れて、次いで、使用位置における処方面を、眼鏡着用者に対して個別に計算し最適化する。各場合において、これは、処方面による、眼鏡着用者の処方箋に対する光屈折効果の適合を含み、この光屈折効果は、特に球状処方、軸位置を包含する非点収差処方、及び基底位置を包含するプリズム処方を含む。処方面による眼鏡着用者の処方箋に対する光屈折効果の適合に加えて、処方面の最適化は、少なくとも幾ばくかの、追加の個別の眼鏡着用者のデータを考慮に入れながら行われる。
【００１３】
単強度眼鏡レンズの前面は好ましくは基底面であり、後面は処方面である。好ましくは、基底面は球状面であり、処方面は対称性の無い面である。
【００１４】
本発明の方法の好ましい実施態様によれば、個別の眼鏡着用者のデータを、眼鏡レンズブランクを選択する工程の間に考慮に入れる。例えば、その単強度眼鏡レンズがスポーツ用途の眼鏡に使用される場合には、かなりの偏向又は枠円板角を持つ前面を選択する程度まで、個別の用途特有の眼鏡着用者のデータを作成において含ませることができる。眼鏡レンズブランクを選択する工程の間に、従って、基底面のこのような針路を考慮に入れることができる。
【００１５】
別の好ましい実施態様によれば、個別の眼鏡着用者のデータは、単強度眼鏡の使用に関する眼鏡の着用者の用途分野を含む。特に、この用途分野はスポーツであって良い。スポーツに使用される眼鏡は、大きな偏向（基底曲線のような）を持ち、それ故、非常に顕著な前面の曲率、及び大きな枠円板角を持つ点において、区別される。屡々傾斜の水平角または傾斜角とも呼ばれる枠円板角は、この場合、主位置にある眼の収束線下の眼鏡レンズの、光学軸間の角度である。
【００１６】
単強度眼鏡レンズがスポーツ分野で使用されるとき、横方向傾斜は、好ましくは５度を超え、好ましくは１０度を超え、及び前面の基底曲線は６ｄｐｔｓを超え、好ましくは１０ｄｐｔｓを超える。この場合、横方向傾斜も、特に３０度に達する非常に高い値を想定して良い。スポーツ眼鏡用のこのようなレンズの場合、作成の間に高い基底曲線と共に高い横方向傾斜を考慮に入れることにより、本発明に従って特別の効果が得られ、これは、対応する従来のスポーツ眼鏡レンズと比較して大幅に改良された光学特性をもたらす。特に、本発明に従って製造されたスポーツ眼鏡用に好ましいレンズの場合、眼鏡レンズの全範囲にわたって、使用位置における光学収差が０．５ｄｐｔｓ未満であることを達成できる。
【００１７】
技術用語に関しては、特に、ハインツ・ディーペス及びラルフ・ブレンドウスキ（Heinz Diepes and Ralf Blendowske）、オプティッシェ・ファホフェルオフェントリッヒウンク・ゲーエムベーハー（Optische Fachveroffentlichung GmbH）、ハイデルベルグ、2002による「眼鏡の光学と技術」（"Optik und Technik der Brille"）を参照しており、これの対応する説明は、この範囲で、本発明の一体化した開示要素を示している。追加の考えられる用途分野は、例えば、音楽家用の近視野眼鏡、若しくは極端に近い範囲に最適化された、時計屋又は精密な機械的仕事用の眼鏡である。
【００１８】
個別の眼鏡着用者のデータは、好ましくは、瞳孔間の距離、横方向傾斜、枠円板角、枠の耳への適合、及び／又は眼鏡着用者の習慣的な頭の姿勢を含む。
【００１９】
別の好ましい実施態様によれば、個別の眼鏡着用者のデータは、芯だし要求、特に眼球回転点要求、基準点要求、又は視野要求を含む。
【００２０】
好ましくは、個別の眼鏡着用者のデータは、眼鏡着用者の眼の眼球回転点距離及び／又は全体的長さを含む。
【００２１】
個別の眼鏡着用者のデータは、好ましくは角膜頂点距離ＨＳＡを含む。
【００２２】
別の好ましい実施態様によれば、個別の眼鏡着用者のデータは、その単強度眼鏡レンズによって見ようとする物体の典型的な対物距離を含み、この場合、特に、単強度眼鏡レンズを介する視点の関数であって良い。単強度眼鏡レンズは、例えば、使用位置において上端にある処方面の部分は遠域に最適化され、下端部は近域に最適化される用に構成される。しかしながら、プログレッシブ眼鏡レンズの場合に起きるような、効果の変化は伴わない。個別の眼鏡着用者のデータは、好ましくは、眼鏡着用者により選択される眼鏡枠の形を含む。結果として、特に「＋」レンズの場合に、個別の単強度レンズの製造に対して、最低限要求される厚さのみを持つ未加工の丸いレンズを選択することを保証できる。
【００２３】
別の好ましい実施態様によれば、個別の眼鏡着用者のデータは非正視の型を含み、かつ、処方面の計算及び最適化の工程の間、非正視の型（近視／遠視／老眼）に従って鮮鋭度が設計される。結果的に、プリズム効果に基づいて、特に異なる視野が考慮に入れられる。
【００２４】
個別の眼鏡着用者のデータは、好ましくは、眼鏡着用者の両眼の特性、特に屈折左右不同症、斜位、微小異常の網膜の応答視（correspondence vision）又は交替視を含む。
【００２５】
別の好ましい実施態様によれば、個別の眼鏡着用者のデータは、処方のプリズム成分を含む。
【００２６】
個別の眼鏡着用者のデータは、好ましくは、眼鏡着用者の生理学的要求、特に初期視力、眼球及び頭の動きに関するその者の視覚習慣及びモデルを含む。
【００２７】
個別の眼鏡着用者のデータは、好ましくは、眼鏡着用者の視覚の鋭敏さを含む。斯くして、低い視覚の鋭敏さしか持っていない眼鏡着用者の場合は、より大きい光学収差が許容でき、望ましい鮮鋭度は、例えば、眼鏡レンズの審美的な特性をより好んで、それ相応に選択できる。一方、視覚が高度の要求に曝されている眼鏡着用者（例えば、時計屋）の場合、所望の鮮鋭度は、中央域において最も小さい光学収差を備えるように選択できる。
【００２８】
眼鏡レンズブランクの基底面の数は、好ましくは、およそ５から２５になる。
【００２９】
本発明の別の実施態様によれば、個別の眼鏡着用者のデータを考慮に入れながら、回転対称の基底面、及び回転対称の非球面又は非円環状の処方面を持つ単強度眼鏡レンズの製造システムは、
−個別の眼鏡着用者のデータを取得する為の取得装置、
−眼鏡レンズブランクの群から所定の基底面を伴う眼鏡レンズブランクを選択するための選択装置、及び
−処方面による、光屈折効果の、眼鏡着用者の処方箋への適合に加えて、個別の眼鏡着用者のデータの少なくとも一部を考慮に入れながら、処方面を計算し最適化するための計算及び最適化装置、
からなる。
【００３０】
本発明の別の実施態様によれば、ある眼鏡着用者用の個別の単強度眼鏡レンズが示唆され、これは回転対称の基底面、及び回転対称の非球面又は非円環状の処方面を持ち、この処方面は、個別の眼鏡着用者のデータの少なくとも一部を考慮に入れながら構成される。
【００３１】
前記個別の単強度眼鏡レンズは、好ましくはスポーツ眼鏡用のレンズであり、これは５度より大きい、好ましくは１０度より大きい横方向傾斜、及び６ｄｐｔｓより大きい基底曲線を持つ。
【発明を実施するための最良の形態】
【００３２】
以下、添付の図面を参照して、実施例により本発明を説明する。
【００３３】
模式的なフローチャートにより、図１は、本発明の製造工程の好ましい変形を示す。図１に示したように、本発明の好ましい個別の単強度レンズの製造方法は、５つの基本的な工程に分けられる。先ず、工程１で、所定の基底面を伴う、ある数の眼鏡レンズブランクを準備する。例えば、およそ５から２５の異なる基底面を準備できる。このような眼鏡レンズブランクは、半仕上げ眼鏡レンズ製品とも呼ばれるが、レンズの片側だけ完全に仕上げられ、即ち、これらは、仕上げられた光学面を１つだけ持っている。所謂処方研磨ショップは、対応する鮮鋭度に従って、以下で処方面と呼ぶ、レンズの他の側を機械加工する。眼球側の面、即ち、単強度レンズの後面は、好ましくは、処方面として個別に仕上げられる。基礎曲線とも呼ばれる基底曲線は、それ故、単強度レンズの前面の名目上の屈折値である。
【００３４】
図１の工程２で示した通り、本発明の個別の単強度レンズの好ましい製造工程によれば、次いで、個別のデータの入力が行われ、この個別のデータは、以下において、個別の眼鏡着用者のデータ又は顧客のデータとも呼ばれる。これらの個別の眼鏡着用者のデータは、個別の単強度眼鏡レンズを作成すべきある眼鏡着用者に帰属する、眼球、又は用途特有の情報であっても良い。このような眼鏡着用者のデータは、眼鏡着用者に関する、特定の用途特有の追加情報と共に、多くの異なる個別の特性又はパラメータを含むことができる。この流れにおいて、眼鏡着用者の処方箋の光屈折効果は、言うまでもなく重要性の中心である。習慣的な頭及び体の姿勢と共に、芯だし要求、非正視及び両眼の状況も言及すべきである。更に、個別の眼鏡着用者のデータは、眼球回転点の距離、眼球及び角膜頂点距離の全体長、瞳孔間の距離、前方への傾斜、横方向傾斜、並びに枠円板角を含んで良い。
【００３５】
加えて、用途分野と共に、典型的に予想される対物距離、即ち、用途特有の眼鏡着用者のデータを、個別の眼鏡着用者のデータとして考慮に入れることができる。眼鏡着用者の視覚の鋭敏さ、又は視覚要求も、個別の処方面の作成工程において使用できる。例えば、視覚の鋭敏さが減退していれば、設計工程において、外見の要素をより大きい程度に導入できる。加えて、例えば、「＋」レンズの場合に、可能な限り中心が薄い未加工の丸いレンズを選択可能にするために、単強度眼鏡レンズの作成工程において、眼鏡枠の枠形状を包含させることができる。好ましくは、適切な基底面、又は適切な眼鏡レンズブランクは、上述の個別の眼鏡着用者のデータの少なくとも一部を考慮に入れながら、選択される（工程３）。例えば、眼鏡レンズがスポーツ眼鏡用の相当湾曲したレンズとして用いられる場合は、枠円板角は、適切な基底面又は眼鏡レンズブランクを選択するときに重要かもしれない。
【００３６】
引き続く工程４において、単強度眼鏡レンズを介する各視野点に対し、上記個別の顧客又は眼鏡着用者のデータの好ましくは全てを、あるいは少なくとも一部を考慮に入れながら、所望の鮮鋭度を計算する。引き続く計算及び最適化工程において、これは特に所謂「オンライン工程」で良いが、個別の眼鏡着用者のデータの好ましくは全てを、あるいは少なくとも一部を考慮に入れながら、個別に作成すべき処方面を、使用位置において計算し、又は最適化する。
【００３７】
特にスポーツ眼鏡用に使用されるような、大きな横方向傾斜又は大きな枠円板角を伴う単強度レンズを用いて、本発明による好ましい個々の単強度レンズの特性と共に、本発明による製造方法の好ましい実施態様を以下に説明する。
【００３８】
スポーツ眼鏡用のレンズは、普通の眼鏡レンズと比べて、大きな偏向、即ち、非常に顕著な前面の曲率、及び大きな枠円板角を持つことが多い点で区別される。このような眼鏡レンズに対して選択される基礎曲線は、恒常的に１０ｄｐｔｓを超えるが、他方、矯正の無い普通の眼鏡レンズでは、典型的には６ｄｐｔｓ未満である。このようなスポーツ眼鏡レンズの枠円板角は、恒常的に１０度を超え、これもまた、典型的には枠円板角が５度未満である普通の眼鏡レンズの対応する値を超える。
【００３９】
しかしながら、基底曲線及び枠円板角に関して大幅に増大したこれらの値は、その眼鏡レンズの画像特性に不利な影響を与える。この効果の矯正の無いスポーツ眼鏡の場合、長い間これらの問題点が知られてきた。それ故、この問題に関する数多くの特許出願及び特許が存在する。この点について、米国特許第５，６４８，８３２号明細書、同第５，９６９，７８９号明細書及び同５，６８９，３２３号明細書と共に、国際公開第９９／５２５４８０号パンフレットだけを挙げる。
【００４０】
一例として、図２は、基底曲線が６．５ｄｐｔｓで矯正効果の無い、従来の（スポーツ）眼鏡レンズの非点収差不良（眼鏡レンズと眼の組合せ）を示す等高線である。これは３０度の高い枠円板角を持つ。この等高線は、０．０５ｄｐｔｓの非点収差不良（図２中左の等高線）、及び０．１０ｄｐｔｓの非点収差不良（図２中右の等高線）に対して示されている。光学的中心からｘ＝１５水平に離れた場合、非点収差不良は許容範囲の０．１０ｄｐｔｓになる。
【００４１】
しかしながら、矯正効果を伴う眼鏡レンズの場合、画像特性に対して、高い枠円板角の大幅に大きい負の影響が起きる。効果が０ｄｐｔｓの眼鏡レンズの場合、例えば、プリズム効果は眼鏡レンズにわたって最低限変化するだけだからである。以下に、図３（ａ）から（ｄ）の例により、これを説明する。
【００４２】
図３（ａ）から（ｄ）は、異なる単強度レンズの非点収差不良を示す等高線である。全ての単強度レンズは、全光屈折効果Ｓｐｈ＝＋６．０ｄｐｔｓを持ち、前面は、頂点面の屈折値Ｄ１＝６．５ｄｐｔｓを持つ。この計算は屈折率ｎ＝１．５９７の眼鏡レンズに関する。
【００４３】
図３（ａ）は、傾斜の無い、従来の球状単強度レンズを示す。
【００４４】
前記眼鏡レンズは、ローデンストック・ゲーエムベーハーの従来の単強度レンズであり、「パーファリット」（"Perfalit"）の商品名で販売されている。この非点収差不良（眼鏡と眼球の組合せ）は、等高線で示される。内側から外側への円形の等高線は０．２５ｄｐｔｓ、０．５０ｄｐｔｓ、０．７５ｄｐｔｓ及び１．００ｄｐｔｓである。図３（ａ）に示したとおり、このレンズ及び眼球の組合せの、頂点領域における非点収差不良は、比較的低い。
【００４５】
しかしながら、図３（ｂ）に示した通り、図３（ａ）に示した従来の単強度レンズを垂直軸に沿って角度１５ＥＣだけ傾けた場合には、画像特性は大幅に害され、これは、今度は、非点収差不良（等高線距離０．２５ｄｐｔｓ）の等高線に示されている。光学的中心からｘ＝１５ｍｍの水平距離においてさえ、２．００ｄｐｔｓの非点収差不良が生じ、これは、従って、図２に示した、矯正効果の無い眼鏡レンズの対応する値を大幅に上回る。眼鏡レンズの中央において、非点収差不良は既に０．４ｄｐｔｓに達し、斯くして、光学画像の明白なぼやけをもたらす。
【００４６】
図３（ｂ）によって説明される問題を考慮して、従来技術において、球状の面に替えて円環状の面を使用することが示唆された。比較として、このような既知の眼鏡レンズを図３（ｃ）に示した。この場合、枠円板角はまたも１５Ｅである。円環状面を用いて、非点収差不良が少なくとも中央において矯正され、周辺においても改良されている。しかしながら、光学的中心から水平距離ｘ＝１５ｍｍの場合、非点収差不良はなおも許容できない１．００ｄｐｔｓに達し、周辺部における画像特性は不満足なままである。
【００４７】
対照的に、図３（ｄ）は個別の単強度眼鏡レンズを示し、その場合、個別の処方面を計算し最適化するときに、個別の眼鏡着用者のデータとして傾斜を考慮に入れた。図３（ｄ）に見られる非点収差不良の等高線は、０．２５ｄｐｔｓの等高線だけである。図３（ｂ）及び３（ｃ）に従う大きい枠円板角を伴う従来の単強度レンズとの画像特性の比較において、それ故、またも１５Ｅに達する傾斜角を考慮に入れながらの、処方面の個別の計算及び最適化により、画像特性の大幅な改良を認識できる。全範囲にわたって、非点収差不良は０．５ｄｐｔｓ未満であり、本発明による好ましい眼鏡レンズの場合、大きな領域においてさえ０．２５ｄｐｔｓ未満である。
【図面の簡単な説明】
【００４８】
【図１】本発明による個別の単強度レンズを製造する好ましい方法を単純化したフローチャートである。
【図２】矯正効果が無く６．５ｄｐｔｓの基底曲線及び３０度の枠円板角を伴う従来の眼鏡レンズの非点収差不良を表す等高線を示す図である。
【図３】従来技術の眼鏡レンズの各種の等高線を示す図で、（a）は傾斜が無い従来の球状の眼鏡レンズの非点収差不良を示す等高線を示す図、（b）は１５ＥＣの傾斜を伴う、図２（ａ）に示した眼鏡レンズの非点収差不良を示す等高線を示す図、（c）は１５ＥＣの傾斜を伴う、従来の円環状の単強度レンズの非点収差不良を示す等高線を示す図、（d）は本発明による好ましい単強度レンズの非点収差不良を示す等高線を示す図である。
【図１】
2007503010.tif 000003
【図２】
2007503010.tif 000004
【図３】
2007503010.tif 000005
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
−個別の眼鏡着用者のデータを取得する工程、
−眼鏡レンズブランク群から所定の基底面を伴う眼鏡レンズブランクを選択する工程、及び
−処方面による、光屈折効果の、眼鏡着用者の処方箋に対する適合に加えて、個別の眼鏡着用者のデータの少なくとも一部を考慮に入れて、処方面を計算し最適化する工程、
とからなり、
前記個別の眼鏡着用者のデータが単強度レンズの使用に関する眼鏡着用者の用途分野、特にスポーツ眼鏡の用途分野を含み、かつ、スポーツ眼鏡の用途分野に関して、前記単強度眼鏡レンズの横方向傾斜が１０度を超え、及び前面の基底曲線が６ｄｐｔｓを超えることを特徴とする個別の眼鏡着用者のデータを考慮に入れて、回転対称の基底面及び回転対称の非球面又は非円環状の処方面を持つ単強度眼鏡レンズを製造する方法。
【請求項２】
前記基底面が前記単強度眼鏡レンズの前面であり、前記処方面が前記単強度眼鏡レンズの後面であることを特徴とする請求項１記載の方法。
【請求項３】
前記個別の眼鏡着用者のデータを、眼鏡レンズブランクを選択する工程の間に考慮に入れることを特徴とする請求項１又は２記載の方法。
【請求項４】
前記個別の眼鏡着用者のデータが瞳孔間の距離、前方への傾斜、横方向傾斜、枠円板角、枠の耳への適合、及び／又は眼鏡着用者の習慣的な頭の姿勢を含むことを特徴とする請求項１から３のいずれか１項記載の方法。
【請求項５】
前記個別の眼鏡着用者のデータが芯だし要求、特に眼球の回転点要求、基準点要求、又は視野要求を含む請求項１から４のいずれかに記載の方法。
【請求項６】
前記個別の眼鏡着用者のデータが眼鏡着用者の眼の眼球回転点距離及び又／は全体的長さを含むことを特徴とする請求項１から５のいずれか１項記載の方法。
【請求項７】
前記個別の眼鏡着用者のデータが角膜頂点距離を含むことを特徴とする請求項１から６のいずれかに１項記載の方法。
【請求項８】
前記個別の眼鏡着用者のデータが、前記単強度眼鏡レンズにより見ようとする物体の典型的な対物距離を含み、前記対物距離が特に前記単強度眼鏡レンズを介する視点の関数であって良いことを特徴とする請求項１から７のいずれか１項記載の方法。
【請求項９】
前記個別の眼鏡着用者のデータが枠の形状を含むことを特徴とする請求項１から８のいずれか１項記載の方法。
【請求項１０】
前記個別の眼鏡着用者のデータが非正視の型を含み、かつ、処方面の計算及び最適化の段階の間に、前記非正視の型に従って鮮鋭度が設計されることを特徴とする請求項１から９のいずれか１項記載の方法。
【請求項１１】
前記個別の眼鏡着用者のデータが両眼の特性、特に微小異常の網膜の応答視又は交替視を含むことを特徴とする請求項１から１０のいずれか１項記載の方法。
【請求項１２】
前記個別の眼鏡着用者のデータが処方のプリズム成分を含むことを特徴とする請求項１から１１のいずれか１項記載の方法。
【請求項１３】
前記個別の眼鏡着用者のデータが眼鏡着用者の生理学的要求、特に初期視力、眼球及び頭の動きに関するその者の視覚習慣及びモデルを含むことを特徴とする請求項１から１２のいずれか１項記載の方法。
【請求項１４】
前記個別の眼鏡着用者のデータが眼鏡着用者の視覚の鋭敏さを含むことを特徴とする請求項１から１３のいずれか１項記載の方法。
【請求項１５】
前記基底面の数がおよそ５から２５であることを特徴とする請求項１から１４のいずれか１項記載の方法。
【請求項１６】
−個別の眼鏡着用者のデータを取得する為の取得装置、
−眼鏡レンズブランクの群から所定の基底面を伴う眼鏡レンズブランクを選択するための選択装置、及び
−処方面による、光屈折効果の、眼鏡着用者の処方箋への適合に加えて、個別の眼鏡着用者のデータの少なくとも一部を考慮に入れながら、処方面を計算し最適化するための計算及び最適化装置、
からなり、
前記個別の眼鏡着用者のデータが単強度レンズの使用に関する眼鏡着用者の用途分野、特にスポーツ眼鏡の用途分野を含み、かつ、スポーツ眼鏡の用途分野に関して、前記単強度眼鏡レンズの横方向傾斜が１０度を超え、及び前面の基底曲線が６ｄｐｔｓを超えることを特徴とする個別の眼鏡着用者のデータを考慮に入れて、回転対称の基底面及び回転対称の非球面又は非円環状の処方面を持つ単強度眼鏡レンズを製造するシステム。
【請求項１７】
回転対称の基底面及び回転対称の非球面又は非円環状の処方面を持ち、前記処方面は個別の眼鏡着用者のデータの少なくとも一部を考慮に入れながら構成される、ある眼鏡着用者用の個別の単強度眼鏡レンズであって、１０度を超える横方向傾斜及び６ｄｐｔｓを超える基底曲線を伴うことを特徴とするスポーツ眼鏡レンズである前記単強度眼鏡レンズ。
【国際調査報告】
2007503010.tif 000006
2007503010.tif 000007
2007503010.tif 000008
2007503010.tif 000009
2007503010.tif 000010
2007503010.tif 000011